(57)【特許請求の範囲】
【請求項１】
玄米または精白米などの被選別穀粒から細粒および欠損粒などの非整粒を選別除去する多孔選別回転筒を備えて成る穀類選別装置であって、多孔選別回転筒はその一端部が無孔平滑面の円筒部を成しており、多孔選別回転筒内に被選別穀粒を投入するホッパの穀粒流出口を上記無孔平滑面の円筒部の内面に近接対向させるとともに、多孔選別回転筒の無孔平滑面の円筒部に近接対向するホッパの穀粒流出口は、多孔選別回転筒の多孔選別面に対して内側が閉じていて外側に向けて開口しており、無孔平滑面の円筒部の内面には、多孔選別回転筒の回転により穀粒を多孔選別面方向に誘導する穀粒案内翼を設けて成ることを特徴とする穀類選別装置。
【発明の詳細な説明】
【０００１】
【発明の属する技術分野】
本発明は、籾摺機で籾摺りした玄米または精米機で精米した精白米などの被選別穀粒から混在する細粒および欠損粒などの非整粒を選別除去する穀類選別装置に関する。
【０００２】
【従来の技術】
籾摺機で籾摺りした玄米または精米機で精米した精白米は、穀粒の表面が摩擦や研削作用を受けるところから、穀粒の一部に破砕が生じることは避けられないが、この破砕粒は、屑粒のような細粒のほかに粒の一部が欠けた欠損粒（いわゆる半欠け米または胴割れ米）などである。そして、従来、このような破砕粒を選別除去する穀粒選別装置としては、特開平１０−２３５２９５号公報に示すものなどが知られている。
【０００３】
【発明が解決しようとする課題】
上記特開平１０−２３５２９５号公報に記載されている穀粒選別装置は、多孔選別回転筒内に被選別穀粒を投入してその多孔選別面から回転にともなって破砕粒を篩い出すものであるが、穀粒の選別効率をよくするには多孔選別面に被選別穀粒を均等な薄層状に誘導することが肝要である。
【０００４】
このため、前掲の特開平１０−２３５２９５号公報に記載されている穀粒選別装置においては、多孔選別回転筒の一端部を無孔平滑面の円筒部とし、この円筒部の内面に被選別穀粒を投入するホッパの穀粒流出口を近接対向させることにより、ホッパから供給される被選別穀粒を薄層にして多孔選別面に移行させるように工夫している。
【０００５】
ところが、被選別穀粒が十分薄層になるようにホッパの穀粒流出口を無孔平滑面の円筒部の内面に近接対向させると、ホッパの穀粒流出口の開口度が小さくならざるを得ないので、多孔選別回転筒に対する被選別穀粒の単位時間当たり供給量が減少して逆に選別効率が低くなることがその後判明した。
【０００６】
そこで、本発明は、このような技術上の問題点に鑑み、多孔選別回転筒の無孔平滑面の円筒部に近接対向するホッパの穀粒流出口を、多孔選別回転筒の多孔選別面に対して内側を閉じて外側に向けて開口させており、無孔平滑面の円筒部の内面に、多孔選別回転筒の回転により穀粒を多孔選別面方向に誘導する穀粒案内翼を設けたことにより、無孔平滑面の円筒部の内面に対するホッパの穀粒流出口との間隔を、単位時間当たり被選別穀粒の供給量が所要値となるように比較的広くとっても、被選別穀粒を多孔選別回転筒の回転にともなって無孔平滑面の円筒部の内面に沿って薄層に拡散したうえ多孔選別面に移行させて、選別効率のいっそうの向上を図ることができ、翻って多孔選別回転筒の選別有効面積が拡大することにともなって多孔選別回転筒の短長化を可能にして、穀類選別装置を大幅に小型化することを目的とする。
【０００７】
【課題を解決するための手段】
本発明に係る穀類選別装置は、玄米または精白米などの被選別穀粒から細粒および欠損粒などの非整粒を選別除去する多孔選別回転筒を備えて成る穀類選別装置であって、多孔選別回転筒はその一端部が無孔平滑面の円筒部を成しており、多孔選別回転筒内に被選別穀粒を投入するホッパの穀粒流出口を上記無孔平滑面の円筒部の内面に近接対向させるとともに、多孔選別回転筒の無孔平滑面の円筒部に近接対向するホッパの穀粒流出口は、多孔選別回転筒の多孔選別面に対して内側が閉じていて外側に向けて開口しており、無孔平滑面の円筒部の内面には、多孔選別回転筒の回転により穀粒を多孔選別面方向に誘導する穀粒案内翼を設けて成ることを特徴とするものである。
【０００８】
【発明の実施の形態】
図１は本発明の一実施の形態に係る穀類選別装置の全体斜視図、図２は同上分解斜視図、図３は要部の斜視図、図４は同上一部の破断斜視図である。
【０００９】
図面において、１は本発明に係る穀類選別装置である。この穀類選別装置１は、籾摺機により籾摺りした玄米または精米機により精米した精白米から細粒および欠損粒などの非整粒を選別除去するものである。穀類選別装置１において、２は多孔選別回転筒である。多孔選別回転筒２は、その一端部が無孔平滑面の円筒部３を成しており、他端部が整粒送出部４を成していて、円筒部３と整粒送出部４の間が多孔選別面５を成している。なお、図示を省略するが、多孔選別回転筒２は、その円筒面３の外周面が１２０度の回転角位置にそれぞれ受ロールで機体外装体６側に支持され、かつ他端部の軸心が電動機の出力軸に連結されて回転自在に支持されている。
【００１０】
７はホッパである。このホッパ７は、多孔選別回転筒２内に被選別穀粒を供給するためのものであり、ホッパ７の穀粒流出口８は、下側位置で前記無孔平滑面の円筒部３の内面に近接対向し、かつ多孔選別回転筒２の多孔選別面５からみて外側に向けて開口している。無孔平滑面の円筒部３の内面には、多孔選別回転筒２の回転により穀粒を多孔選別面５の方向に誘導する穀粒案内翼９を設けてある。この穀粒案内翼９は、起立高さが低くかつ回転方向に対して傾斜状を成している。多孔選別回転筒２は、円筒部３側から他端部の整粒送出部４側に低角度で傾斜している。１０は破砕粒取出口であって破砕粒容器が引き出し状に出し入れ自在となっている。ホッパ７にはその穀粒流出口８の開口度調節部材１１を備えている。
【００１１】
被選別穀粒を供給するホッパ７は、その被選別穀粒の投入口を機体外装体６の上端より低くしてある。このように、ホッパ７の供給口を機体外装体６の上端より低くすることにより、被選別穀類の投入作業が容易であり、また、籾摺機や精米機と併設して用いる場合にも、それらとの穀粒供給系の連繋が容易になる。
【００１２】
以上のように構成された穀類選別装置１において、ホッパ７から投入した被選別穀粒は、その穀粒流出口８から多孔選別回転筒２の無孔平滑面の円筒部３の内面に流入し、回転にともなって穀粒案内翼９に案内されて円筒部３の内面に沿って薄層状に拡散されたうえ多孔選別面５に飛散することなく滑るように移動する。このため、多孔選別回転筒２内に既に供給されて多孔選別面５に位置する被選別穀粒の動きを掻き乱すことがなく、選別作用を妨げることがないばかりか、被選別穀粒は多孔選別面５の端から順次供給され、多孔選別面５全面が常に有効選別面となる。したがって、多孔選別回転筒２の選別処理量に対する長さを短縮することが可能であって、多孔選別回転筒２の大幅な短縮化を図ることができる。
【００１３】
しかも本発明に係る穀類選別装置によれば、無孔平滑面の円筒部３の内面に、多孔選別回転筒２の回転により穀粒を多孔選別面５の方向に誘導する穀粒案内翼９を設けたことにより、無孔平滑面の円筒部３の内面に対するホッパ７の穀粒流出口８との間隔を、単位時間当たり被選別穀粒の供給量が所要値となるように比較的広くとっても、被選別穀粒を多孔選別回転筒２の回転にともなって無孔平滑面の円筒部３の内面に沿って薄層に拡散したうえ多孔選別面５に移行させて、選別効率の向上を図ることができる。そして、図示の実施の形態のように、ホッパ７の穀粒流出口８を、無孔平滑面の円筒部３の内面に近接対向し、かつ多孔選別回転筒２の多孔選別面５からみて外側に向けて開口することにより、ホッパ７の穀粒流出口８を円筒部３の内面に近接対向させてあっても、その有効開口度を十分大きくとることができ、しかも、穀粒流出口が外側を向いているところから流出する穀粒が多孔選別面５にかたまって流れ込むことがないうえ、前記穀粒案内翼９を設けたことと相俟って、単位時間当たり被選別穀粒の供給量の減少をともなうことなく選別効率のいっそうの向上を図ることができる。
【００１４】
【発明の効果】
本発明によれば、多孔選別回転筒の無孔平滑面の円筒部に近接対向するホッパの穀粒流出口を、多孔選別回転筒の多孔選別面に対して内側を閉じて外側に向けて開口させており、多孔選別回転筒の回転により穀粒を多孔選別面方向に誘導する穀粒案内翼を設けたことにより、無孔平滑面の円筒部の内面に対するホッパの穀粒流出口との間隔を、単位時間当たり被選別穀粒の供給量が所要値となるように比較的広くとっても、被選別穀粒を多孔選別回転筒の回転にともなって無孔平滑面の円筒部の内面に沿って薄層に拡散したうえ多孔選別面に移行させて、選別効率のいっそうの向上を図ることができ、翻って多孔選別回転筒の選別有効面積が拡大することにともなって多孔選別回転筒の短長化を可能にして、穀類選別装置を大幅に小型化することができる効果が得られる。
【図面の簡単な説明】
【図１】  本発明の一実施の形態に係る穀類選別装置の全体斜視図である。
【図２】  本発明の一実施の形態に係る穀類選別装置の分解斜視図である。
【図３】  本発明の一実施の形態に係る穀類選別装置の要部の斜視図である。
【図４】  本発明の一実施の形態に係る穀類選別装置の要部を一部破断して示す斜視図である。
【符号の説明】
１  穀類選別装置
２  多孔選別回転筒
３  無孔平滑面の円筒部
４  整粒送出部
５  多孔選別面
６  機体外装体
７  ホッパ
８  穀粒流出口
９  穀粒案内翼
１０  破砕粒取出口
１１  開口度調節部材
【図１】
0003997037.tif 000002
【図２】
0003997037.tif 000003
【図３】
0003997037.tif 000004
【図４】
0003997037.tif 000005